(57)【要約】      （修正有）【課題】長時間品質の維持ができるソーダー水を製造でき、しかも安全性が極めて高いソーダサイフォンを提供する。【解決手段】ソーダサイフォンは、相互に独立した嵌合筒部１とキャップ２とを含む。嵌合筒部１は筒体１０と内設する栓体１１とを含む。筒体の側面に第１の貫通孔１００が開設され、栓体の側面に第２の貫通孔１１０が開設される。キャップ２に上下に貫通する貫通孔が設けられ、該貫通孔の底部が注入管２１と連結し、キャップの上部と栓体１１の下部が連結している。筒体の下方開口とキャップの外縁下部が連結し、筒体頂部が嵌合筒部内の二酸化炭素カートリッジに押し下げ作用をする。キャップの下部と注入管２１の連接部に一方向弁が設けられる。【選択図】図１
0003177083.tif 000002
【実用新案登録請求の範囲】
【請求項１】
相互に独立した嵌合筒部とキャップとを含み、
前記嵌合筒部は筒体とその中に内設される栓体とを備え、
前記筒体頂部が密封され、下方に開口され、内部が中空で、前記筒体の側面に第１の貫通孔が設けられ、
前記栓体は上下に連なった管体で、前記栓体の側面に第２の貫通孔が設けられ、前記第２の貫通孔が前記栓体の中空部に連絡し、
前記キャップには上下に貫通する貫通孔が設けられ、前記貫通孔の上部に穴付き針が設けられ、底部が注入管に連結し、前記キャップの下部と前記注入管の連結部に一方向弁が設けられ、前記キャップの上部が前記栓体の下部に連結し、
前記筒体の下方開口が前記キャップの外縁下部と連結し、前記筒体のみが回転して、前記第１の貫通孔と前記第２の貫通孔とが、開口状態から閉鎖状態となり、前記筒体の頂部が前記嵌合筒部内の二酸化炭素カートリッジに押し下げ作用をし、前記穴付き針で二酸化炭素カートリッジを突き破ることを特徴とするソーダサイフォン。
【請求項２】
ロックリングを更に含み、該ロックリングは、一部が開口したリング状に形成され、該開口両側部には内側に折曲した２個の突起体が形成され、前記ロックリングの外径が前記栓体の外径と同一で、前記栓体に水平溝が更に設けられ、前記ロックリングが前記栓体の水平溝内に係止し、且つ、その２個の突起体が前記栓体の第２の貫通孔の孔口に位置することを特徴とする請求項１に記載のソーダサイフォン。
【請求項３】
前記キャップの下端に達する一方向還流孔が設けられ、前記一方向還流孔が前記キャップの下部と前記注入管との連接部の一側に位置し、
前記キャップ頂部の貫通孔脇の前記一方向還流孔と対応する位置にばね、及び、前記ばねと連結する端子が更に設けられることを特徴とする請求項２に記載のソーダサイフォン。
【請求項４】
前記栓体の側面に押ボタンが更に設けられ、前記筒体側面の横方向に第３の貫通孔が設けられ、前記押ボタンが前記第３の貫通孔を貫通することを特徴とする請求項３に記載のソーダサイフォン。
【請求項５】
前記栓体の底部に複数の凸部を有し、前記キャップの頂部に複数の凹部を有し、前記複数の凸部と前記複数の凹部が嵌合することを特徴とする請求項４に記載のソーダサイフォン。
【請求項６】
前記栓体の底部に複数の凹部を有し、前記キャップの頂部に複数の凸部を有し、前記複数の凸部と前記複数の凹部が嵌合することを特徴とする請求項４に記載のソーダサイフォン。
【請求項７】
前記第１の貫通孔、及び、第２の貫通孔は、前記第１の貫通孔と前記第２の貫通孔を通じて前記嵌合筒部内に配置された二酸化炭素カートリッジの形状と同一で、前記第１の貫通孔と前記第２の貫通孔のサイズが前記二酸化炭素カートリッジのサイズより多少大きいことを特徴とする請求項５又は６に記載のソーダサイフォン。
【請求項８】
前記筒体に第４の貫通孔が開設され、前記栓体に第５の貫通孔が開設され、前記第４の貫通孔と前記第５の貫通孔のサイズが前記第１の貫通孔と前記第２の貫通孔のサイズより小さく、且つ、前記二酸化炭素カートリッジのサイズより小さいことを特徴とする請求項７に記載のソーダサイフォン。
【請求項９】
前記筒体の下方開口に内ネジが設けられ、前記キャップ下部に外ネジが設けられ、前記筒体の内ネジと前記キャップの外ネジが螺合し、若しくは、
前記筒体の下方開口に外ネジが設けられ、前記キャップ下部に内ネジが設けられ、前記筒体の外ネジと前記キャップの内ネジが螺合することを特徴とする請求項８に記載のソーダサイフォン。
【請求項１０】
前記キャップの底部内側にはボトル口部の外ネジと螺合する内ネジが更に設けられ、若しくは、
前記キャップの底部内側にボトル口部の内ネジと螺合する外ネジが更に設けられることを特徴とする請求項９に記載のソーダサイフォン。 
【考案の詳細な説明】
【技術分野】
【０００１】
本考案はソーダサイフォンに関し、詳記すれば、長期間ソーダ水の品質の維持が図れると共に、安全性を高めたソーダサイフォンに関する。
【背景技術】
【０００２】
ソーダサイフォンは、強大な圧力を起こすことのできる機器で、二酸化炭素（ＣＯ2）ガスが詰まったカートリッジ底部を突き破ってＣＯ2ガスを水のあるボトル内に注入することで、ボトル内の水にＣＯ2ガスが溶け込み、炭酸飲料、またの名のソーダ水に変わる。
【０００３】
従来技術のソーダサイフォンには、上下部を含み、上部が中空構造で、その頂面が密封され、下方が開口され、下部も上下に連なる中空構造で、その上端が上部の下方開口と連結し、その下端がボトルと連結している。ＣＯ2が詰まったカートリッジがソーダサイフォンの上部に嵌設され、上部の頂部はＣＯ2が詰まったカートリッジに作用し、圧力が大きくなった時、ＣＯ2ガスが詰まったカートリッジの底部を突き破り、その中のＣＯ2ガスが上部と下部の連接部のルートを通じて水が入っているボトル内に注入される。
【０００４】
ただし、従来技術のソーダサイフォンは、少なくとも以下の欠点が存在し、その一として、ＣＯ2ガスをボトル内に注入して、ボトル内の水がソーダ水に生成された後、ソーダサイフォン全体をボトルから取り外すと、ボトル内のソーダ水を短時間で飲まなければならない。さもなければソーダ水が変質する。生成されたソーダ水は、保存に不利であるからである。その二として、ＣＯ2ガスが詰まったカートリッジが突き破られた時、しっかりと固定されず、ＣＯ2ガスが詰まったカートリッジを置く入口も又しっかりと閉まっていない場合、自由に開いてしまうため、これにより非常に大きな危険性が存在し、利用者を怪我させる恐れもある。
【考案の開示】
【考案が解決しようとする課題】
【０００５】
そこで本考案は、独自の設計構造により上記従来技術に存在する問題点を克服できるソーダサイフォンを提供することを目的とする。
【課題を解決するための手段】
【０００６】
本考案は、相互に独立した嵌合筒部とキャップとを含むソーダサイフォンを提供する。
【０００７】
前記嵌合筒部は筒体とその中に内設される栓体とを備える。
【０００８】
前記筒体頂部が密封され、下方に開口され、内部が中空である。前記筒体の側面に第１の貫通孔が設けられる。
【０００９】
前記栓体は上下に連なった管体で、前記栓体の側面に第２の貫通孔が設けられ、前記第２の貫通孔が前記栓体の中空部に連絡する。
【００１０】
前記キャップには上下に貫通する貫通孔が設けられ、該貫通孔の上部に穴付き針が設けられ、底部が注入管に連結する。前記キャップの下部と前記注入管の連結部に一方向弁が設けられ、前記キャップの上部が前記栓体の下部に連結する。
【００１１】
前記筒体の下方開口が前記キャップの外縁下部と連結し、前記筒体の頂部が前記嵌合筒部内の二酸化炭素カートリッジを押し下げる作用をする。
【００１２】
ソーダサイフォンには、ロックリングを更に含み、該ロックリング１１１は、一部が開口したリング状に形成され、該開口両側部は内側に折曲した２個の突起体Ａと突起体Ｂが形成され、該ロックリングの外径が前記栓体の外径と同一で、前記栓体に水平溝が更に設けられ、該ロックリングが前記栓体の水平溝内に係止し、且つその２個の突起体が前記栓体の第２の貫通孔の孔口に位置する。
【００１３】
前記キャップの下端に達する一方向還流孔が設けられ、該一方向還流孔が前記キャップの下部と前記注入管との連接部の一側に位置する。
【００１４】
前記キャップ頂部の貫通孔脇の前記一方向還流孔と対応する位置にばね及び該ばねと連結する端子が更に設けられる。
【００１５】
前記栓体の側面に押ボタンが更に設けられ、前記筒体側面の横方向に第３の貫通孔が設けられ、前記押ボタンが前記第３の貫通孔を貫通する。
【００１６】
前記栓体の底部に複数の凸部を有し、前記キャップの頂部に複数の凹部を有し、前記複数の凸部と前記複数の凹部が嵌合する。
【００１７】
前記栓体の底部に複数の凹部を有し、前記キャップの頂部に複数の凸部を有し、前記複数の凸部と前記複数の凹部が嵌合する。
【００１８】
前記第１の貫通孔及び第２の貫通孔は、該第１の貫通孔と第２の貫通孔を通じて前記嵌合筒部内に配置された二酸化炭素カートリッジの形状と同一で、前記第１の貫通孔と第２の貫通孔のサイズが前記二酸化炭素カートリッジのサイズより多少大きい。
【００１９】
前記筒体に第４の貫通孔が開設され、前記栓体に第５の貫通孔が開設され、該第４の貫通孔と第５の貫通孔のサイズが前記第１の貫通孔と第２の貫通孔のサイズより小さく、且つ前記二酸化炭素カートリッジのサイズより小さい。
【００２０】
前記筒体の下方開口に内ネジが設けられ、前記キャップ下部に外ネジが設けられ、前記筒体の内ネジと前記キャップの外ネジが螺合する。
【００２１】
若しくは前記筒体の下方開口に外ネジが設けられ、前記キャップ下部に内ネジが設けられ、前記筒体の外ネジと前記キャップの内ネジが螺合する。
【００２２】
前記キャップの底部内側にはボトル口部の外ネジと螺合する内ネジが更に設けられる。
【００２３】
若しくは前記キャップの底部内側にボトル口部の内ネジと螺合する外ネジが更に設けられる。
【考案の効果】
【００２４】
本考案実施例を実施し、該ソーダサイフォンでＣＯ2ガスを連結するボトルに注入した後、ソーダサイフォンの嵌合筒部を取り外して、そのキャップで該ボトルを密封することで、長時間品質の維持を実現できる。且つ本ソーダサイフォンにより、二酸化炭素カートリッジに作用し、ソーダ水の製造過程において、嵌合筒部をキャップに締め付けた時、栓体が二度と回転せず、筒体のみが回転し、且つ筒体と栓体上の全ての貫通孔がしっかりと閉鎖するため、二酸化炭素カートリッジの突き破る過程が嵌合筒部内にあり、安全性が極めて高く、人体に怪我を与えることがない。
【図面の簡単な説明】
【００２５】
【図１】本考案の第１の実施例に係るソーダサイフォン構造を示す図である。
【図２】本考案に係るソーダサイフォンのロックリング上面図である。
【図３】本考案に係るソーダサイフォンの嵌合筒部の栓体構造を示す図である。
【図４】本考案に係るソーダサイフォンのキャップ縦断面図である。
【図５】本考案に係るソーダサイフォンの押ボタンを示す図である。
【図６】本考案に係るソーダサイフォンの嵌合筒部の筒体構造を示す図である。
【図７】本考案に係るソーダサイフォンのキャップ頂部を示す図である。
【図８】本考案の第２の実施例に係るソーダサイフォン縦断面図である。
【図９】本考案の第２の実施例に係るソーダサイフォン組立図である。
【符号の説明】
【００２６】
１                  嵌合筒部
２                  キャップ
３                  二酸化炭素カートリッジ
１０                筒体
１１                栓体
２１                注入管
２２                一方向還流孔
１００              第１の貫通孔
１０１              第３の貫通孔
１０２              第４の貫通孔
１１３              第５の貫通孔
１１０              第２の貫通孔
１１１              ロックリング
１１２              押ボタン
【考案を実施するための最良の形態】
【００２７】
以下、本考案の実施例或いは従来技術の技術的思想を更に明確に説明するため、実施例或いは従来技術の記述において必要な添付図面で簡単に説明する。下記の添付図面は本考案の実施例のみであり、当業者にとって、創造、労働を行わない前提の下で、これら添付図面に基づいてその他の添付図面を得ることができる。
【００２８】
本考案に係るソーダサイフォンは、水のあるボトルに取り付けてから内設するＣＯ2ガスの詰まった二酸化炭素カートリッジの底部を突き破り、ＣＯ2ガスを水のあるボトル内に注入し、水がソーダ水に変わる。本考案に係るソーダサイフォンの構造は独特で、ソーダ水が生成された後、ソーダサイフォンをボトルから取り外しても、該ソーダサイフォンのキャップがやはりボトルを閉め、且つ密封状態を保持し、ボトル内のソーダ水の品質を維持できる。その他、本ソーダサイフォンが二酸化炭素カートリッジを突き破り、ＣＯ2ガスを水のあるボトルに注入する過程において、筒体と栓体にある全ての貫通孔が閉鎖され、二酸化炭素カートリッジが突き破る過程において非常に安定するため、本ソーダサイフォンの安全性が高く、人体に怪我を与えない。
【００２９】
以下、添付図面を参照しながら本考案に係るソーダサイフォンの構造と機能を具体的に説明する。本考案に係るソーダサイフォンは、図では、内設される二酸化炭素カートリッジと連結するボトルを含まないが、本考案に係るソーダサイフォンの嵌合筒部に設計された貫通孔は、二酸化炭素カートリッジの形状や大きさとマッチする形状や大きさに設計でき、且つそのキャップも異なるボトルとマッチする形状や大きさに設計できる。
【００３０】
本考案の第１の実施例に係るソーダサイフォン構造について図１を参照しながら説明する。
【００３１】
（第１の実施例）
第１の実施例で提供するソーダサイフォンには、相互に独立した嵌合筒部１とキャップ２とを含む。
【００３２】
前記嵌合筒部１は筒体１０とその中に内設される栓体１１とを備える。
【００３３】
前記筒体頂部１０が密封され、下方に開口され、内部が中空である。前記筒体１０の側面に第１の貫通孔１００が設けられる。
【００３４】
前記栓体１１は上下に連なった管体で、前記栓体１１の側面に第２の貫通孔１１０が設けられ、前記第２の貫通孔１１０が前記栓体１１の中空部に連絡する。
【００３５】
前記キャップ２には上下に貫通する貫通孔が設けられ、該貫通孔の上部に穴付き針が設けられ、該針は嵌合筒部１の筒体１０をキャップ２に締め付けた時、二酸化炭素カートリッジを突き破るためであり、該キャップ２の底部が注入管２１に連結する。前記キャップ２の下部と前記注入管２１の連結部に一方向弁が設けられ、前記キャップ２の上部が前記栓体１１の下部に連結する。
【００３６】
前記筒体１１の下方開口が前記キャップ２の外縁下部と連結し、前記筒体１１の頂部が前記嵌合筒部１内の二酸化炭素カートリッジ（図１に示されていない）を押し下げる作用をする。
【００３７】
本考案に係るソーダサイフォンでソーダ水を製造する過程において、前記栓体１１が筒体１０内に嵌め込み、筒体１０でキャップ２をしっかりと締め付けていない時、栓体１１が筒体１０内で固定されない。筒体１０がキャップ２と相互に締め付ける過程において、栓体１１の下方とキャップ２の上方が密に連結し、従って栓体１１が回転できなくなり、筒体１０のみが回転でき、筒体１０の頂部が二酸化炭素カートリッジを押し下げる作用をし、前記穴付き針が二酸化炭素カートリッジの底部を突き破り、キャップ２頂部に設けられた貫通孔２０及び下部に連結する注入管２０を通じてその中のＣＯ2ガスを該ソーダサイフォンに連結したボトル内に押し込み、ボトル内の水と混ざり合い、ソーダ水となる。これは本考案に係るソーダサイフォンがソーダ水製造の完成過程である。
【００３８】
本考案の第１の実施例に係るソーダサイフォンの嵌合筒部１とキャップ２は相互に独立した構造であるため、ソーダ水を製造し終えた後、嵌合筒部１をキャップ２から緩めて外すことができる。キャップ２に設けられた貫通孔２０（図７）が比較的小さく、キャップ２底部の注入管２１も非常に細く、且つキャップ２の下部と前記注入管２１の連結部に一方向弁が設けられる。該一方向弁の設置は、ボトル内の水が注入管２１を通じてキャップ２内に逆流させず、このためキャップ２とボトルの間が密封状態となる。よって、ボトル内のソーダ水を長く維持することができ、変質しないため、本ソーダサイフォンの利便性が大幅に向上し、従来技術で提供するソーダサイフォンでソーダ水を製造しても、短時間で飲まないと無駄になることを避けることができる。
【００３９】
更に一歩進んで、本ソーダサイフォンでソーダ水を製造する過程において、嵌合筒部１の筒体１０をキャップ２に締め付けた時、栓体１１の下方とキャップ２の上方が密接に連結し、従って栓体１１が回転できなくなり、筒体１０のみが回転できる。筒体１０にある第１の貫通孔１００及びその他の貫通孔が栓体１１の中央部分で塞ぎ、従ってソーダ水の製造過程において二酸化炭素カートリッジを取り出すことができない。二酸化炭素カートリッジが爆発したとしても嵌合筒部１の筒体１０の貫通孔が栓体１１の中央部分で塞ぎ、二酸化炭素カートリッジが嵌合筒部１から飛び出すことができないため、利用者が怪我することがない。
【００４０】
本考案に係るソーダサイフォンが解決する別の技術課題は、二酸化炭素カートリッジを突き破る過程において、二酸化炭素カートリッジを固定させることで、二酸化炭素カートリッジの爆発によってもたらされる安全問題を避けることができる。
【００４１】
該技術課題を解決するため、本考案に係るソーダサイフォンにはロックリングを更に含み、具体的なものは図２を参照して説明する。図２は本考案に係るソーダサイフォンのロックリング上面図である。
【００４２】
本ソーダサイフォンのロックリング１１１は、一部が開口したリング状に形成され、該開口両側部は内側に折曲した２個の突起体Ａと突起体Ｂに形成され、該ロックリング１１１の外径が前記栓体１１の外径と同一である。
【００４３】
図３に示すように、前記栓体１１が横方向において水平溝１１５を更に開設し、該ロックリング１１１が前記栓体１１の横方向に開設された水平溝１１５内に係止し、且つその２個の突起体Ａと突起体Ｂが前記栓体１１の第２の貫通孔１１０の孔口に位置する。
【００４４】
該ロックリング１１１がソーダ水製造過程を開始した時、前記栓体１１外周の水平溝１１５に置き、本ソーダサイフォンでソーダ水を製造する時、二酸化炭素カートリッジ３がロックリング１１１の開口部を通じて該ロックリング１１１に係入する。ソーダ水製造過程において、嵌合筒部１の筒体１０とキャップ２の締め付け過程において該ロックリング１１１が二酸化炭素カートリッジ３を安定状態に保持でき、締め付けにより巨大な振動を受けることはない。二酸化炭素を詰めたカートリッジは、強い振動を受けた場合、爆発が起きて人体を怪我させる恐れがあるため、本考案に係るソーダサイフォンを使用すると、該潜在的な危険性を避けることができる。
【００４５】
ソーダ水を製造する時、ＣＯ2ガスが該ボトル内に注入された後、ボトル内に余分なガスが生じる可能性があり、キャップ２とボトルの間の連結は密封されているため、このような状況において、ボトル内の圧力が非常に大きく、爆発まではしないが、十分危険的である。
【００４６】
この技術課題を解決するため、本考案に係るソーダサイフォンのキャップに特殊設計があり、その具体的なものは図４を参照する。図４は本考案に係るソーダサイフォンのキャップ縦断面図である。
【００４７】
本実施例で提供するキャップ２の下端に達する一方向還流孔２２が設けられ、該一方向還流孔２２が前記キャップの下部と前記注入管２１の連接部の一側に位置する。
【００４８】
キャップ２の頂部の貫通孔脇の前記一方向還流孔と対応する位置にばねと該ばねに連結する端子が更に設けられる。ボトル内の気圧が正常な時、一方向還流孔２２上部にあるばねが伸び状態になり、その連結する端子と一緒に一方向還流孔２２を塞ぐ。ボトル内の気圧が非常に大きい時、一方向還流孔２２上部にあるばねは気圧の作用により縮んだ状態になり、その連結する端子が伴って上に向かって縮み、一方向還流孔２２を塞ぐことがないため、ボトル内のガスが一方向還流孔２２を通じて排出する。このような特殊設計の構造は、ソーダ水の製造過程において、ボトル内の強い圧力時に安定状態になるよう保証し、潜在的な危険性を避けることができる。
【００４９】
本考案に係るソーダサイフォンでソーダ水を製造した後、二酸化炭素カートリッジ３を嵌合筒部１内から取り出す便宜を図るため、本考案では以下の設計を行い、具体的なものは図５と図６を参照する。
【００５０】
図５は本考案に係るソーダサイフォンの押ボタン構造を示す図である。
【００５１】
図６は本考案に係るソーダサイフォンの嵌合筒部の筒体構造を示す図である。
【００５２】
更に図３を参照しながら説明する。図３に示すように、栓体１１の側面に小穴１１６が開設され、図６に示すように、筒体１０側面の横方向に第３の貫通孔１０１が開設される。
【００５３】
押ボタン１１２の一端は球形レバーで、他端の上にネジ山があり、前記押ボタン１１２が前記第３の貫通孔１０１を貫通し、球形レバーが筒体１０の外部に露出し、他端が栓体１１の小穴１１６に締め込んだ時、栓体１１としっかり連結する。
【００５４】
本考案に係るソーダサイフォンでソーダ水を製造する時、嵌合筒部１の筒体１０第１の貫通孔１００と栓体１１の第２の貫通孔１１０は重なり合い、且つ前記第１の貫通孔１００及び第２の貫通孔１１０は、該第１の貫通孔１００と第２の貫通孔１１０を通じて前記嵌合筒部１内に配置された二酸化炭素カートリッジ３と形状が同一で、前記第１の貫通孔１００と第２の貫通孔１１０のサイズが前記二酸化炭素カートリッジ３のサイズより多少大きい。二酸化炭素カートリッジ３を第１の貫通孔１００と第２の貫通孔１１０を通じて栓体１１の中空部分に詰め込むためである。
【００５５】
ただし、ソーダ水製造過程において、嵌合筒部１の筒体１０とキャップ２の締め付け過程において、嵌合筒部１の栓体１１と筒体１０の相対位置に変更が起き、筒体１０の第１の貫通孔１００と栓体１１の第２の貫通孔１１０は二度と重なり合うことがない。よってソーダ水の製造を終えた後、二酸化炭素カートリッジ３を取り出すため、栓体１１の位置を元位置に戻し、栓体１１にある第２の貫通孔１１０と筒体１０の第１の貫通孔１００が重なり合うようにする。このため、本考案に係るソーダサイフォンの押ボタン１１２は、筒体１０に設けられた第３の貫通孔１０１内において横方向に沿って摺動することで、栓体１１を、栓体１１の第２の貫通孔１１０と筒体１０の第１の貫通孔１００の位置が重なり合うまで回転させることができ、二酸化炭素カートリッジ３を取り出すことができる。
【００５６】
二酸化炭素カートリッジ３の取り出しを図るため、図６に示すように、本考案は前記筒体１０に第４の貫通孔１０２が更に開設している。図３に示すように、前記栓体１１に第５の貫通孔１１３が開設され、該前記第４の貫通孔１０２と第５の貫通孔１１３が第１の貫通孔１００と第２の貫通孔１１０が重なり合った時に重なり、そのサイズは前記第１の貫通孔１００と第２の貫通孔１１０のサイズより小さく、且つ前記二酸化炭素カートリッジ３のサイズより小さい。
【００５７】
該第４の貫通孔１０２と第５の貫通孔１１３を設ける目的は、手の指をその中に差し込むと、栓体１１内の二酸化炭素カートリッジ３を重なり合う第１の貫通孔１００と第２の貫通孔１１０から抜き取るのに便利であるからである。
【００５８】
好適な実施例において、第４の貫通孔１０２と第５の貫通孔１１３の形状は円形であるが、当然他の形状でもよく、手の指をその中に差し込むことができ、二酸化炭素カートリッジ３のサイズを下回ることで、二酸化炭素カートリッジ３を該第４の貫通孔１０２と第５の貫通孔１１３内から落下することを避けることができる。
【００５９】
本考案に係るソーダサイフォンの嵌合筒部１の筒体１０とキャップ２の連結方法は多岐に渡り、典型的なのが筒体１０の下方開口に内ネジが設けられ、前記キャップ２の外縁下部に外ネジが設けられ、前記内ネジと前記外ネジが連結する。この設置方法は強い力で筒体１０をキャップ２に締め付けた時、筒体１０の頂部が二酸化炭素カートリッジ３に作用できる。同様の連結と留め機能を実現するため、当然キャップ２の外縁下部に内ネジが設けられ、筒体１０の下方開口に外ネジを設けることができる。
【００６０】
筒体１０とキャップ２が外ネジと内ネジの係合過程において、栓体１１とキャップ２の頂部も相互に接触できる。最後に連結する状態に達させるため、図３に示すように、前記栓体１１の底部に複数の凸部１１４が設けられ、図７に示すように、前記キャップ２の頂部に複数の凹部２３が設けられ、前記複数の凸部１１４と前記複数の凹部２３が嵌合する。
【００６１】
当然他の実現方法として、前記栓体１１の底部に複数の凹部が設けられ、前記キャップ２の頂部に複数の凸部が設けられ、前記複数の凸部と前記複数の凹部が嵌合する。
【００６２】
本考案の第２の実施例に係るソーダサイフォン構造について図８を参照しながら説明する。
【００６３】
本考案の第２の実施例に係るソーダサイフォンをボトルに組み立てた場合の構造について図９を参照しながら説明する。
【００６４】
（第２の実施例）
図８と図９に示すように、本考案に係るソーダサイフォンでソーダ水を製造する過程において、ソーダサイフォンはボトル４と連結し、連結方法は前述のようにネジ山を通じて連結する。また二酸化炭素カートリッジ３は、嵌合筒部１の筒体１０の第１の貫通孔１００と栓体１１の第２の貫通孔１１０を通じて前記嵌合筒部１内に詰め込む。
【００６５】
前記嵌合筒部１の栓体１１を筒体１０内に嵌め込み、筒体１０でキャップ２をしっかりと締め付けていない時、栓体１１が筒体１０内で固定されない。筒体１０がキャップ２と相互に締め付ける過程において、栓体１１の下方とキャップ２の上方が密に連結し、従って栓体１１が回転できなくなり、筒体１０のみが回転でき、筒体１０の頂部が二酸化炭素カートリッジ３に押し下げる作用をし、二酸化炭素カートリッジ３の底部を突き破り、キャップ２頂部に設けられた貫通孔２０及び下部に連結する注入管２０を通じてその中のＣＯ2ガスを該ソーダサイフォンに連結したボトル内に押し込み、ボトル内の水と混ざり合い、ソーダ水となる。
【００６６】
本考案の第２の実施例に係るソーダサイフォンでソーダ水の製造過程において、嵌合筒部１の筒体１０をキャップ２に締め付けた時、栓体１１の下方とキャップ２の上方が密接に連結し、従って栓体１１が回転できなくなり、筒体１０のみが回転できる。筒体１０にある第１の貫通孔１００及び第３の貫通孔１０１、第４の貫通孔１０２（図６を参照）が栓体１１の中央部分で塞がれ、従ってソーダ水の製造過程において二酸化炭素カートリッジ３を取り出すことができない。二酸化炭素カートリッジ３が爆発したとしても嵌合筒部１の筒体１０の貫通孔が栓体１１の中央部分で塞がれ、二酸化炭素カートリッジ３が嵌合筒部１から飛び出すことができないため、利用者が怪我することがない。その他、ロックリング１１１が設けられており、二酸化炭素カートリッジ３を栓体１１内にロックするため、二酸化炭素カートリッジ３はソーダ水製造過程において安定な状態になり、爆発及び嵌合筒部１から飛び出す可能性も避けることができる。
【００６７】
本考案で記載されているのは、ソーダサイフォンの一つの製品で、本考案の前記構造を満たす他の製品が材質、部材名称、外観、部材の配置順等の製品特性に影響しない要因が異なったとしても、やはり本考案の保護範囲に属する。
【００６８】
以上の内容は、具体的な好ましい実施形態を組み合わせて本考案の技術内容を明らかにするものであって、そのような具体例にのみ限定して狭義に解釈されるべきものではなく、当業者にとって本考案の思想から逸脱しない前提の下、行う種々の推察又は改良変更をなし得ることは本考案の保護範囲内に含めるものであるのが勿論である。
【図１】
0003177083.tif 000003
【図２】
0003177083.tif 000004
【図３】
0003177083.tif 000005
【図４】
0003177083.tif 000006
【図５】
0003177083.tif 000007
【図６】
0003177083.tif 000008
【図７】
0003177083.tif 000009
【図８】
0003177083.tif 000010
【図９】
0003177083.tif 000011